(57)【要約】【課題】  第１の無線通信機器と第２の無線通信機器とが互いに分離されている状態で、上記第１の無線通信機器、上記第２の無線通信機器のうちの一方がマスター機器として機能し、他方がスレーブ機器として機能するネットワークにおいて、上記一方の無線通信機器が機能拡張装置である場合、その機能拡張装置の電源を効率的に制御することができ、また、機能拡張装置の使い勝手がよい無線通信機器を提供することを目的とするものである。【解決手段】  機能拡張装置を携帯情報端末に装着したときに、マスター・スレーブ転換処理を行い、機能拡張装置の近距離無線通信部が担っていたマスターの役割を、携帯情報端末へ移し、ピコネット再構築処理を行った上で、機能拡張装置の近距離無線通信部を停止させる無線通信機器である。【選択図】  図１
2005136900.tif 000002
【特許請求の範囲】
【請求項１】
第１の無線通信機器と第２の無線通信機器とが互いに分離されている状態で、上記第１の無線通信機器、上記第２の無線通信機器のうちの一方がマスター機器として機能し、他方がスレーブ機器として機能するシステムにおいて、
上記第１の無線通信機器と、上記第２の無線通信機器とが装着されたときに、互いの機能を変更するマスター・スレーブ機能切り替え手段と；
上記マスター・スレーブ機能切り替え後に、上記第１の無線通信機器と上記第２の無線通信機器との間でデータ転送経路変更処理を行い、上記第１の無線通信機器の無線通信部を停止する第１の無線通信機器の無線通信部停止手段と；
を有することを特徴とするシステム。
【請求項２】
請求項１において、
上記マスター・スレーブ機能切り替え手段により新たにマスターとなった無線通信機器は、他方の無線通信機器から転送されるネットワーク情報に基づいて、上記機能変換を行う前にネットワークを構成していた端末との無線接続を行うことによって、ネットワークを再構築する手段であることを特徴とするシステム。
【請求項３】
請求項１において、
上記データ転送経路変更する場合、無線経路をコネクタ部を介した有線経路に切り替え、経路変更後に無線リンクを切断する手段であることを特徴とするシステム。
【請求項４】
他の装置とマスター機器、または、スレーブ機器として無線通信するための無線通信手段と；
上記他の装置と有線通信するための有線通信手段と；
上記他の装置との有線接続を検出する検出手段と；
上記検出手段による検出に応じて、上記他の装置との間で、マスター・スレーブ機能切替を行う切替手段と；
上記切替手段によるマスター・スレーブ機能切替後に、無線通信経路と有線通信経路との経路変更処理を行う変更手段と；
を有することを特徴とする情報装置。
【請求項５】
請求項４において、
上記変更手段による経路変更に応じて、上記無線通信手段の動作を停止することを特徴とする情報装置。
【請求項６】
請求項４において、
電源部と；
上記電源部からの電源供給を、上記他の装置から供給される電源に切り替える電源供給切替手段と；
を有することを特徴とする情報装置。
【請求項７】
請求項４において、
上記他の装置に関する情報を判別する判別手段を有し、
上記切替手段は、上記判別手段による判別に応じて、マスター・スレーブ機能切替を行うことを特徴とする情報装置。
【請求項８】
請求項４において、
上記他の装置に関する情報を判別する判別手段を有し、
上記判別手段による判別に応じて、上記無線通信手段の動作を停止することを特徴とする情報装置。
【請求項９】
第１の無線通信機器と第２の無線通信機器とが互いに分離されている状態で、上記第１の無線通信機器、上記第２の無線通信機器のうちの一方がマスター機器として機能し、他方がスレーブ機器として機能するシステムの制御方法において、
上記第１の無線通信機器と、上記第２の無線通信機器とが装着されたときに、互いの機能を変更するマスター・スレーブ機能切り替え工程と；
上記マスター・スレーブ機能切り替え後に、上記第１の無線通信機器と上記第２の無線通信機器との間でデータ転送経路変更処理を行い、上記第１の無線通信機器の無線通信部を停止する第１の無線通信機器の無線通信部停止工程と；
を有することを特徴とするシステムの制御方法。
【請求項１０】
他の装置とマスター機器、または、スレーブ機器として無線通信するための無線通信機能と、上記他の装置と有線通信するための有線通信機能を有する情報装置の制御方法において、
上記他の装置との有線接続を検出する検出工程と；
上記検出工程における検出に応じて、上記他の装置との間で、マスター・スレーブ機能切替を行う切替工程と；
上記切替工程におけるマスター・スレーブ機能切替後に、無線通信経路と有線通信経路との経路変更処理を行う変更工程と；
を有することを特徴とする情報装置の制御方法。
【発明の詳細な説明】
【技術分野】
【０００１】
本発明は、たとえば小型カメラ装置を着脱して利用することができるＰＤＡ端末のように、機能拡張装置を、必要に応じて着脱して利用することができる情報装置に係り、特に機能拡張装置が装着された場合の情報装置と、機能拡張装置の通信制御と、電源制御とに関する。
【背景技術】
【０００２】
近年のＰＤＡ（Ｐｅｒｓｏｎａｌ  Ｄｉｇｉｔａｌ  Ａｓｓｉｓｔａｎｔ）をはじめとする携帯情報端末の普及に伴い、携帯情報端末の携帯性を確保しつつ、その機能を拡張するために、たとえばノート型ＰＣに、外付けのＣＤレコーダを装着したり、ＰＤＡのカードスロットにモデムカードを挿す等によって、携帯情報端末の機能を拡張する回路を収納し、携帯情報端末との着脱が可能な機能拡張装置が、広く一般に利用されている。
【０００３】
また、携帯情報端末との着脱が可能なワイヤレステンキーユニットのように、機能拡張装置が携帯情報端末から分離した状態であっても、機能拡張装置は、内蔵の電源を利用して稼動し、内蔵の近距離無線通信部を利用し、携帯情報端末との間でデータ通信を行う機能拡張装置が知られている（たとえば、特許文献１参照）。
【０００４】
上記携帯情報端末と機能拡張装置との間における無線データ通信において、近距離無線通信を行う手段として、近年策定されたＢｌｕｅｔｏｏｔｈのような無線通信技術を利用する場合、機能拡張装置は、携帯情報端末以外にも、複数の端末と同時に無線接続を行うことができる。
【０００５】
図１０は、従来のネットワークＮＷ１１を示す図である。
【０００６】
従来のネットワークＮＷ１１は、ＰＤＡ端末１と、小型カメラユニット２と、携帯ストレージ端末３とを有する。
【０００７】
ＰＤＡ端末１は、携帯情報端末であり、小型カメラユニット２は、機能拡張装置であり、携帯情報端末１に着脱が可能であり、分離時には、無線接続によって、携帯情報端末１へ、リモートカメラ機能を追加することができる。機能拡張装置２は、携帯情報端末１と携帯ストレージ端末３との間で無線接続し、機能拡張装置２をマスターとするピコネットを構成し、携帯情報端末１からの制御によって撮影した画像を、携帯ストレージ端末３へ保存するようなデータ通信を行う。
【特許文献１】特開２００１−３１８７５３号公報
【発明の開示】
【発明が解決しようとする課題】
【０００８】
ところで、機能拡張装置が、携帯情報端末に装着され、携帯情報端末と機能拡張装置とが一体になった場合、それぞれに内蔵されている２つの近距離無線通信部が同時に稼動する。
【０００９】
ここで、携帯情報端末に機能拡張装置が装着されたときに、一方の近距離無線通信部のみを停止し、他方の近距離無線通信部を停止すれば、電源を効率的に利用することができ、容量に限りがある内蔵電源をより有効に利用することができる。
【００１０】
また、機能拡張装置に内蔵されている電源の容量は、携帯情報端末に内蔵されている電源の容量に比べて、小さい場合が通常考えられるので、上記装着の際に、電源の効率利用の観点から、機能拡張装置の近距離無線通信部を停止させることが、最も効果的であると予想される。
【００１１】
しかし、図１０に示す例のように、ピコネットのマスターとなっている小型カメラユニット（機能拡張装置）２を、ＰＤＡ端末（携帯情報端末）１に装着した際に、小型カメラユニット２の近距離無線通信部を停止させると、マスターが停止するので、マスター・スレーブ間のリンクが切断される。したがって、装着前の無線通信時と同様に、撮影したデータを携帯ストレージ端末３に保存するためには、ＰＤＡ端末１が、携帯ストレージ端末３との間で、改めて無線接続する必要がある。
【００１２】
この場合、ピコネットにおいて、スレーブであったＰＤＡ端末１は、同じくスレーブであった携帯ストレージ端末３に関する情報を有していないので、ＰＤＡ端末１は、携帯ストレージ端末３とリンクを確立するために、デバイス探索処理から処理を実行する必要があり、このように、上記装着を行った後に、ＰＤＡ端末１と携帯ストレージ端末３との間でリンク確立するまでに、時間を要する。したがって、ユーザが小型カメラユニット２をＰＤＡ端末１に装着した直後に、撮影、保存操作を行うことができず、使い勝手が悪いという問題がある。
【００１３】
つまり、第１の無線通信機器と第２の無線通信機器とが互いに分離されている状態で、上記第１の無線通信機器、上記第２の無線通信機器のうちの一方がマスター機器として機能し、他方がスレーブ機器として機能するネットワークにおいて、上記一方の無線通信機器が機能拡張装置である場合、その機能拡張装置の電源を効率的に制御することができないという問題があり、また、機能拡張装置の使い勝手がよくないという問題がある。
【００１４】
本発明は、装置が互いに分離されている状態で、一方がマスター機器として機能し、他方がスレーブ機器として機能する場合における通信を効率的に制御することを目的とする。
【００１５】
また、電源を効率的に制御することを目的とする。
【課題を解決するための手段】
【００１６】
本発明は、第１の無線通信機器と第２の無線通信機器とが互いに分離されている状態で、上記第１の無線通信機器、上記第２の無線通信機器のうちの一方がマスター機器として機能し、他方がスレーブ機器として機能するシステムにおいて、上記第１の無線通信機器と、上記第２の無線通信機器とが装着されたときに、互いの機能を変更するマスター・スレーブ機能切り替え手段と、上記マスター・スレーブ機能切り替え後に、上記第１の無線通信機器と上記第２の無線通信機器との間でデータ転送経路変更処理を行い、上記第１の無線通信機器の無線通信部を停止する第１の無線通信機器の無線通信部停止手段とを有することを特徴とするシステムおよび制御方法である。
【００１７】
また、他の装置とマスター機器、または、スレーブ機器として無線通信するための無線通信手段と、上記他の装置と有線通信するための有線通信手段と、上記他の装置との有線接続を検出する検出手段と、上記検出手段による検出に応じて、上記他の装置との間で、マスター・スレーブ機能切替を行う切替手段と、上記切替手段によるマスター・スレーブ機能切替後に、無線通信経路と有線通信経路との経路変更処理を行う変更手段とを有することを特徴とする情報装置および制御方法である。
【発明の効果】
【００１８】
本発明によれば、装置同士が装着された場合には、マスター・スレーブ機能の切替と、無線通信経路と有線通信経路との経路変更を行うので、効率よく通信を継続することができる。
【００１９】
また、一方の無線通信を停止することにとり、電源を効率的に利用することができるという効果を奏する。
【００２０】
また、装置同士が装着され、マスター・スレーブ機能の切替が行われても、ネットワークを再構築するので、効率よく通信を継続することができる。
【発明を実施するための最良の形態】
【００２１】
発明を実施するための最良の形態は、次の実施例である。
【実施例１】
【００２２】
図１は、本発明の実施例１であるネットワークＮＷ１を示す図である。
【００２３】
ネットワークＮＷ１は、携帯情報端末の一例であるＰＤＡ端末１０と、機能拡張装置の一例である撮像装置２０と、無線端末の一例である携帯ストレージ端末３０とを有する。
【００２４】
ネットワークＮＷ１において、撮像装置２０は、ＰＤＡ端末１０へ撮像機能を追加し、着脱可能なＰＤＡ端末１０の機能拡張装置として動作する。
【００２５】
特に、撮像装置２０とＰＤＡ端末１０とを分離するときに、撮像装置２０は、リモートカメラとして動作し、ＰＤＡ端末１０の使用者は、Ｂｌｕｅｔｏｏｔｈ無線通信技術による無線データ通信を用いて、撮像装置２０を制御する。
【００２６】
また、撮像装置２０は、ＰＤＡ端末１０とは別に、携帯ストレージ端末３０との間でも、Ｂｌｕｅｔｏｏｔｈによる無線データ通信を行い、撮像装置２０で撮影した画像データを携帯ストレージ端末３０へ記憶させることができる。なお、実施例１では、ＰＤＡ端末１０、撮像装置２０、携帯ストレージ端末３０は、撮像装置２０をマスターとするピコネットを構成している。
【００２７】
次に、実施例１におけるＰＤＡ端末１０の構成について説明する。
【００２８】
図２は、実施例１におけるＰＤＡ端末１０の構成を示すブロック図である。
【００２９】
まず、ＰＤＡ端末１０は、近距離無線通信部１１と、電源部１２と、ＰＤＡコネクタ部１３と、制御部１４と、ＰＤＡ主機能手段１５と、ユーザインタフェース部１６と、着脱検出手段１７とを有する。
【００３０】
近距離無線通信部１１は、近距離無線通信方式を利用し、周囲の端末との間で、無線通信を行う。実施例１では、近距離無線通信手段として、Ｂｌｕｅｔｏｏｔｈ無線通信技術を用いる。
【００３１】
電源部１２は、制御部１４に従い、各機能ブロックへ電源を供給する。
【００３２】
ＰＤＡコネクタ部１３は、撮像装置２０のコネクタ部と接続することによって、コネクタ部を介して、ＰＤＡ端末１０と撮像装置２０との間で、データ通信し、また、電源部１２から撮像装置２０へ電源供給することができる。
【００３３】
ＰＤＡ主機能手段１５は、ＰＤＡ端末１０に搭載されている撮像装置制御アプリケーションの処理等、ＰＤＡ端末１０としての機能をユーザに提供するための処理を行う手段である。
【００３４】
ユーザインタフェース部１６は、アプリケーションやＯＳ等の操作手段や、電源のオン、オフを切り替えるスイッチ手段として、ユーザが用いることができる。
【００３５】
着脱検出手段１７は、ＰＤＡコネクタ部１３の接続状態を監視し、撮像装置２０との装着、または分離時に、状態変化の信号を、制御部１４へ送出する。
【００３６】
次に、実施例１における撮像装置２０の構成について説明する。
【００３７】
図３は、実施例１における撮像装置２０の構成を示すブロック図である。
【００３８】
撮像装置２０は、近距離無線通信部２１と、電源部２２と、撮像装置コネクタ部２３と、撮像手段２４と、制御部２５と、着脱検出手段２６とを有する。
【００３９】
次に、撮像装置２０の動作について説明する。
【００４０】
近距離無線通信部２１は、近距離無線通信方式を利用し、周囲の端末との間で、無線通信を行う。実施例１では、近距離無線通信手段としてＢｌｕｅｔｏｏｔｈ無線通信技術を利用する。
【００４１】
電源部２２は、各機能ブロックへ電源を供給する。ただし、実施例１では、ＰＤＡ端末１０との接続時には、各機能ブロックは、コネクタを介して、ＰＤＡ端末１０の電源部１２から給電を受けることが可能である。
【００４２】
撮像装置コネクタ部２３は、ＰＤＡ端末１０のコネクタ部と接続することによって、コネクタ部を通して、ＰＤＡ端末１０と撮像装置２０との間で、データ通信し、ＰＤＡ端末１０から給電を受ける。
【００４３】
撮像手段２４は、ＰＤＡ端末１０の拡張機能としての撮像機能をユーザに提供するための処理を行う手段である。
【００４４】
着脱検出手段２６は、上記撮像装置コネクタ部２３の接続状態を監視し、ＰＤＡ端末１０との装着、または分離時には、上記制御部２５へ状態変化の信号を送出する。
【００４５】
ここで、撮像装置２０がＰＤＡ端末１０に装着されたときに、各近距離無線通信手段が行うマスター・スレーブ転換処理の動作について説明する。
【００４６】
図４は、撮像装置２０がＰＤＡ端末１０に装着されたときに、各近距離無線通信手段が行うマスター・スレーブ転換処理の動作を示すタイムチャートである。
【００４７】
ステップＳ５０１では、ＰＤＡ端末１０は、撮像装置２０に、マスター・スレーブ転換要求信号を送信する。
【００４８】
ステップＳ５０２では、撮像装置２０は、マスター・スレーブ要求信号に対する応答信号をＰＤＡ端末１０へ送信する。
【００４９】
ステップＳ５０３では、新たにマスターとなるＰＤＡ端末１０は、ＰＤＡ端末１０のクロックに合わせるように、ＰＤＡ端末１０と撮像装置２０との間のマスターツースレーブ（ｍａｓｔｅｒ  ｔｏ  ｓｌａｖｅ）スロットの開始値の差を、時間整列用ＬＭＰメッセージを通じて、撮像装置２０へ送る。
【００５０】
ステップＳ５０４では、ＰＤＡ端末１０は、新しいアクティブメンバーアドレス（ＡＭ＿ＡＤＤＲ）値を持っているＦＨＳパケットを撮像装置２０に伝送する。
【００５１】
ステップＳ５０５では、撮像装置２０は、ＦＨＳに対する応答をＰＤＡ端末へ送る。
【００５２】
ステップＳ５０６では、ＰＤＡ端末１０は、撮像装置２０とのデータ転送のタイミングを切り替える。
【００５３】
上記手順によって、ＰＤＡ端末１０と撮像装置２０との間におけるマスター、スレーブが切り替えられる。
【００５４】
次に、ＰＤＡ端末１０と撮像装置２０との間におけるマスター・スレーブ転換処理が完了した後に起動される動作であって、ＰＤＡ端末１０のピコネット再構築処理の動作について説明する。
【００５５】
図５は、実施例１において、ＰＤＡ端末１０と撮像装置２０との間におけるマスター・スレーブ転換処理が完了した後に起動される動作であって、ＰＤＡ端末１０のピコネット再構築処理の動作を示すタイムチャートである。
【００５６】
ステップＳ６０１とステップＳ６０２では、新たにマスターとなったＰＤＡ端末１０は、ピコネットのスレーブであった携帯ストレージ端末３０に対して、上記マスター・スレーブ転換処理の際に転送したものと同じ時間整列用ＬＭＰメッセージとＦＨＳパケットとを送信する。
【００５７】
ステップＳ６０３では、ＰＤＡ端末１０は、携帯ストレージ端末３０から、ＦＨＳ応答パケットを受け取る。
【００５８】
ステップＳ６０１〜Ｓ６０３の過程を通じて、撮像装置２０をマスターとするピコネットのスレーブであった携帯ストレージ端末３０は、新しいマスターであるＰＤＡ端末１０のクロックに合わせてデータを送受信し、ＰＤＡ端末から自身のアクティブメンバーアドレスを得る。
【００５９】
ステップＳ６０４では、ＰＤＡ端末１０は、自身のタイミングでスイッチし、携帯ストレージ端末３０が自身のタイミングでスイッチされたことを確認するために、携帯ストレージ端末３０にＰｏｌｌパケットを送信する。
【００６０】
上記手順によって、ＰＤＡ端末１０を新たなマスターとするピコネットが再構築される。
【００６１】
次に、実施例１において、撮像装置２０がＰＤＡ端末１０に装着されたときにおけるデータ転送経路変更処理の動作について説明する。
【００６２】
図６は、実施例１において、撮像装置２０がＰＤＡ端末１０に装着されたときにおけるデータ転送経路変更処理の動作を示すタイムチャートである。
【００６３】
ステップＳ７０１では、ＰＤＡ端末１０の制御部１４は、転送経路変更要求を、コネクタ部を介した有線経路を用いて、撮像装置２０へ転送する。
【００６４】
ステップＳ７０２では、撮像装置２０の制御部２５は、経路変更要求を受信すると、ＰＤＡ端末１０へのカメラ制御データ等の転送経路を、それまでの無線経路からコネクタ部を介した有線経路へ切り替え、経路変更要求に対する応答をＰＤＡ端末１０へ送信する。
【００６５】
ステップＳ７０３では、ＰＤＡ端末の制御部１４は、経路変更応答を受信すると、撮像装置２０との間で確立されている無線リンクを切断し、以後、撮像装置２０の装着中は、コネクタ部を介した有線経路を用いて撮像装置２０とのデータ転送を行う。
【００６６】
上記手順によって、ＰＤＡ端末１０と撮像装置２０との間のデータ転送経路が変更される。
【００６７】
次に、実施例１において、ＰＤＡ端末１０に撮像装置２０が装着されているときにおけるＰＤＡ端末１０と撮像装置２０との動作について説明する。
【００６８】
図７は、実施例１において、ＰＤＡ端末１０に撮像装置２０が装着されているときにおけるＰＤＡ端末１０と撮像装置２０との動作を示すフローチャートである。
【００６９】
撮像装置２０がＰＤＡ端末１０に装着されたことを、ＰＤＡ端末１０の着脱検出手段１７が検出し、ＰＤＡ端末の制御部１４が、着脱検出手段１７からの装着通知メッセージを受信した場合に、処理が開始される。
【００７０】
ステップＳ８０１ａとステップＳ８０１ｂとにおいて、ＰＤＡ端末１０と撮像装置２０との間で上記マスター・スレーブ転換処理が行われ、ＰＤＡ端末が新たなマスターになる。
【００７１】
ステップＳ８０２では、撮像装置２０は、自身がマスターとして構築していたピコネットのスレーブとの接続に関する情報を、ピコネット構成情報として、ＰＤＡ端末１０へ転送する。
【００７２】
図８は、ピコネット構成情報の詳細例を示す図である。
【００７３】
ピコネット構成情報は、スレーブ端末のＢｌｕｅｔｏｏｔｈアドレスと、スレーブ端末と撮像装置２０との間の無線通信で用いられていたプロファイル情報から構成される。実施例１の場合、ピコネット構成情報として携帯ストレージ端末３０のＢｌｕｅｔｏｏｔｈアドレスと、撮像装置２０と携帯ストレージ端末３０との間の通信で用いられていたファイル転送プロファイル（ＦＴＰ）が、ＰＤＡ端末１０へ転送される。
【００７４】
ステップＳ８０３で、新たにマスターになったＰＤＡ端末１０は、上記ピコネット再構築処理を行うことによって、撮像装置２０が構築していたピコネットを再構築する。ＰＤＡ端末は、受信したピコネット構成情報に基づいて、ピコネット構成情報に示されたプロファイルを用い、携帯ストレージ端末３０との間で無線通信する。
【００７５】
ステップＳ８０４ａとステップＳ８０４ｂとでは、ＰＤＡ端末１０と撮像装置２０との間で、上記経路変更処理が行われる。
【００７６】
ステップＳ８０５では、撮像装置２０の制御部２５は、撮像装置２０の近距離無線通信部２１への電源部２２からの電源供給を停止し、撮像装置コネクタ部２３を介してＰＤＡ端末１０の電源部１２からの電源供給に変更する。
【００７７】
上記手順によって、撮像装置２０は、ＰＤＡ端末１０へ装着される。
【実施例２】
【００７８】
実施例１では、撮像装置２０がＰＤＡ端末１０へ装着した後に、自動的にマスター・スレーブ転換処理を行い、ＰＤＡ端末がマスターになり、ピコネットを再構成し、撮像装置２０の近距離無線通信部を停止する。
【００７９】
実施例１は、ＰＤＡ端末１０の近距離無線通信部の近距離無線通信部の電源を停止するよりも、撮像装置２０の近距離無線通信部の電源を停止させる方が効率的であるという前提に基づくものであるが、装着時に、撮像装置２０の方がより電源容量に余裕がある場合や、撮像装置２０がＰＤＡ端末１０よりも多くのＢｌｕｅｔｏｏｔｈのプロファイルをサポートしている場合等、実施例１の場合とは逆に、撮像装置２０の近距離無線通信部を稼動させていた方が適当な場合も考えられる。
【００８０】
そこで、実施例２は、撮像装置２０が、ＰＤＡ端末１０へ装着された際に、ＰＤＡ端末１０が装着後に稼動させる近距離無線通信部を選択する通信部選択処理と、この選択結果に応じた通信制御処理と電源制御処理とを実行する実施例である。この実施例２によって、ＰＤＡ端末１０と撮像装置２０とは、様々な状況に応じて、より効率的な装着時の処理を選択して行うことができる。
【００８１】
図９は、実施例２において、ＰＤＡ端末１０と撮像装置２０との互いの装着時処理において、その装着後に、撮像装置２０の近距離無線通信部を稼動させる場合の動作を示すフローチャートである。
【００８２】
なお、実施例２では、ＰＤＡ端末１０よりも撮像装置２０の電源残量が多い状態で装着時処理が行われるものとする。
【００８３】
ステップＳ１００１では、撮像装置２０の制御部２５は、ＰＤＡ端末１０へ通信部選択処理によって利用される選択情報を転送する。この選択情報は、たとえば、撮像装置２０の電源部２２の電源残量や、撮像装置２０がサポートしているＢｌｕｅｔｏｏｔｈプロファイルの情報、装着時に撮像装置２０の近距離無線通信部２１が確立している無線リンクの数等、装着後に稼動させる通信部を選択する際の比較要素となるパラメータが格納される。
【００８４】
ステップＳ１００２において、ＰＤＡ端末１０の制御部１４は、通信部選択処理を起動し、装着後に稼動させる近距離無線通信部を選択する。この通信部選択処理は、上記ステップＳ１００１において転送された撮像装置２０からの選択情報と、ＰＤＡ端末１０自身の状態情報とを比較し、電源残量の大小やサポートプロファイルの数等から、より適切な近距離無線通信部を選択する。実施例２では、撮像装置２０の電源残量がＰＤＡ端末１０よりも多いので、制御部１４は、装着後に稼動させる近距離無線通信部として撮像装置２０の近距離無線通信部２１を選択する。
【００８５】
ステップＳ１００３ａとステップＳ１００３ｂとにおいて、ＰＤＡ端末１０と撮像装置２０との間で、上記経路変更処理が行われる。
【００８６】
ステップＳ１００４では、ＰＤＡ端末１０の制御部１４は、ＰＤＡ端末１０の近距離無線通信部１１への電源部１２からの電源供給を停止し、ＰＤＡコネクタ部１３を介して撮像装置２０の電源部２２からの電源供給に変更する。
【００８７】
上記手順によって、撮像装置２０は、ＰＤＡ端末１０へ装着される。
【００８８】
なお、上記ステップＳ１００２の通信部選択処理において、ＰＤＡ端末１０の近距離無線通信部１１が選択された場合、上記ステップＳ８０１〜Ｓ８０５の処理を行うことによって、撮像装置２０は、ＰＤＡ端末１０へ装着される。
【００８９】
また、上記ステップＳ１００２の通信部選択処理において、制御部１４がＰＤＡ端末１０の近距離無線通信部１１と撮像装置２０の近距離無線通信部２１との両者を稼動させるのが最も適当であると判断した場合、通信部選択処理後に、上記データ転送経路変更処理のみを行い、装着時処理を終了する。
【００９０】
上記実施例は、携帯情報端末と機能拡張装置とを接続したときに、携帯情報端末と機能拡張装置との間で、マスター・スレーブ転換し、新たにマスターになった携帯情報端末は、機能拡張装置からピコネットの構成情報を受け取ることによって、ピコネットを再構築する。
【００９１】
この場合、携帯情報端末とピコネットとを構成している他の端末とは、既にタイムスロットの同期が取れているので、携帯情報端末から、上記他の端末へは、従来のページング処理よりも速やかに接続処理を行うことができる。
【００９２】
また、再構築後に、携帯情報端末と機能拡張装置との間のデータ通信を、無線経路からコネクタ部を介した有線経路へ切り替え、経路変更が完了した後に、携帯情報端末と機能拡張装置との間の無線リンクを切断し、機能拡張装置の近距離無線通信部を停止する。
【図面の簡単な説明】
【００９３】
【図１】本発明の実施例１であるネットワークＮＷ１を示す図である。
【図２】実施例１におけるＰＤＡ端末１０の構成を示すブロック図である。
【図３】実施例１における撮像装置２０の構成を示すブロック図である。
【図４】撮像装置２０がＰＤＡ端末１０に装着されたときに、各近距離無線通信手段が行うマスター・スレーブ転換処理の動作を示すタイムチャートである。
【図５】実施例１において、ＰＤＡ端末１０と撮像装置２０との間におけるマスター・スレーブ転換処理が完了した後に起動される動作であって、ＰＤＡ端末１０のピコネット再構築処理の動作を示すタイムチャートである。
【図６】実施例１において、撮像装置２０がＰＤＡ端末１０に装着されたときにおけるデータ転送経路変更処理の動作を示すタイムチャートである。
【図７】実施例１において、ＰＤＡ端末１０に撮像装置２０が装着されているときにおけるＰＤＡ端末１０と撮像装置２０との動作を示すフローチャートである。
【図８】ピコネット構成情報の詳細例を示す図である。
【図９】実施例２において、ＰＤＡ端末１０と撮像装置２０との互いの装着時処理において、その装着後に、撮像装置２０の近距離無線通信部を稼動させる場合の動作を示すフローチャートである。
【図１０】従来のネットワークＮＷ１１を示す図である。
【符号の説明】
【００９４】
ＮＷ１…ネットワーク、
１０…ＰＤＡ端末（携帯端末装置、スレーブ）、
１１、２１…近距離無線通信部、
１２、２２…電源部、
１３…ＰＤＡコネクタ部、
１４…制御部、
１５…ＰＤＡ主機能手段、
１６…ユーザインタフェース部、
１７…着脱検出手段、
２０…撮像装置（機能拡張装置、マスター）、
２３…撮像装置コネクタ部、
２４…撮像手段、
２５…制御部、
２６…着脱検出手段、
３０…携帯ストレージ端末。
【図１】
2005136900.tif 000003
【図２】
2005136900.tif 000004
【図３】
2005136900.tif 000005
【図４】
2005136900.tif 000006
【図５】
2005136900.tif 000007
【図６】
2005136900.tif 000008
【図７】
2005136900.tif 000009
【図８】
2005136900.tif 000010
【図９】
2005136900.tif 000011
【図１０】
2005136900.tif 000012